(57)【特許請求の範囲】
【請求項１】
顧客の振込に関する振込要求を受け付ける端末と、前記端末とネットワークを介して接続されたサーバと、を備える銀行システムにおいて、
前記端末は、
前記顧客を特定する顧客情報を受け付ける顧客情報受付手段と、
振込先に関する情報である振込先情報を受け付ける振込先情報受付手段と、
前記顧客の操作に基づき、前記顧客と前記振込先との関係を示す振込先関係情報を受け付ける振込先関係情報受付手段と、
前記顧客情報、前記振込先情報及び前記振込先関係情報を、前記サーバに送信する端末送信手段と、を有し、
前記サーバは、
前記顧客情報に、前記振込先情報と前記振込先関係情報とを対応付けて記憶する振込先記憶手段と、
前記端末から受信した前記顧客情報、前記振込先情報及び前記振込先関係情報と、前記振込先記憶手段に記憶された前記顧客情報、前記振込先情報及び前記振込先関係情報と、を対比し、互いに一致するか否かを判定する判定手段と、
前記判定手段の判定結果を前記端末に送信するサーバ送信手段と、を有し、
前記端末は、さらに、前記サーバから受信した前記判定結果を通知する通知手段を有することを特徴とする銀行システム。
【請求項２】
前記端末は、さらに、
前記通知手段が前記判定結果を通知した後、前記顧客の操作により、振込の実行を要求する最終要求又は振込の実行を中止する中止要求を受け付ける最終要求受付手段と、
前記最終要求受付手段が前記最終要求を受け付けた場合には振込を実行し、前記最終要求受付手段が前記中止要求を受け付けた場合には振込の実行を中止する実行手段と、を有することを特徴とする請求項１に記載の銀行システム。
【請求項３】
前記振込先情報は、第１振込先情報と第２振込先情報とを含み、
前記端末において、
前記振込先情報受付手段は、前記第１振込先情報を受け付け、
前記サーバは、さらに、
前記振込先記憶手段が、前記顧客情報に、前記第１振込先情報と前記第２振込先情報と前記振込先関係情報とを対応付けて記憶し、
振込先記憶手段を参照して、前記端末から受信した前記顧客情報及び前記第１振込先情報に基づき、前記第２振込先情報を抽出する抽出手段を有し、
前記サーバ送信手段は、前記第２振込先情報を前記端末に送信し、
前記端末において、
前記振込先情報受付手段は、前記第２振込先情報を通知するとともに、当該第２振込先情報の変更を受け付けることを特徴とする請求項１又は２に記載の銀行システム。
【請求項４】
前記第１振込先情報は、振込先の口座番号を示す情報であり、
前記第２振込先情報は、振込先を特定する画像又は音声の情報であることを特徴とする請求項３に記載の銀行システム。
【請求項５】
前記サーバは、さらに、
前記端末から受信した前記顧客情報に基づき、前記振込先記憶手段を参照し、前記顧客情報に対応付けられた前記第１振込先情報からなる第１振込先情報リストを生成する振込先情報リスト生成手段を有し、
前記サーバ送信手段は、前記第１振込先情報リストを前記端末に送信し、
前記端末において、
前記振込先情報受付手段は、前記サーバから送信された前記第１振込先情報リストの中から、前記第１振込先情報を受け付け、
前記第１振込先情報は、振込先を特定する画像又は音声の情報であり、
前記第２振込先情報は、振込先の口座番号を示す情報であることを特徴とする請求項３に記載の銀行システム。
【請求項６】
顧客の振込に関する振込要求を受け付ける端末と、前記端末とネットワークを介して接続されたサーバと、を備える銀行システムが実行する振り込み詐欺防止方法において、
前記端末が実行する方法は、
前記顧客を特定する顧客情報を受け付ける顧客情報受付段階と、
振込先に関する情報である振込先情報を受け付ける振込先情報受付段階と、
前記顧客の操作に基づき、前記顧客と前記振込先との関係を示す振込先関係情報を受け付ける振込先関係情報受付段階と、
前記顧客情報、前記振込先情報及び前記振込先関係情報を、前記サーバに送信する端末送信段階と、を含み、
前記サーバは、
前記顧客情報に、前記振込先情報と前記振込先関係情報とを対応付けて記憶する振込先記憶手段を備え、
前記サーバが実行する方法は、
前記端末から受信した前記顧客情報、前記振込先情報及び前記振込先関係情報と、前記振込先記憶手段に記憶された前記顧客情報、前記振込先情報及び前記振込先関係情報と、を対比し、互いに一致するか否かを判定する判定段階と、
前記判定段階の判定結果を前記端末に送信するサーバ送信段階と、を含み、
前記端末が実行する方法は、さらに、前記サーバから受信した前記判定結果を通知する通知段階を含むことを特徴とする振り込み詐欺防止方法。
【発明の詳細な説明】
【技術分野】
【０００１】
本発明は、銀行システム及び銀行システムの振り込み詐欺防止方法に関する。
【背景技術】
【０００２】
従来、顧客は、親族への送金、公共料金や家賃の支払い、購入した商品の代金の支払い等の金銭取引をＡＴＭにて行うことができる。即ち、顧客は、ＡＴＭにおいて、現金又はキャシュカードにより自己の口座から金銭を、送金先や支払い先を振込先として、この振込先の口座に振り込むことができる。
【０００３】
ところで、近年、電話やはがきなどの文書などで相手をだまし、ＡＴＭから金銭の振り込みを要求する振り込め詐欺による被害が多発している。そこで、異常取引監視サーバにより、ＡＴＭにおける金銭の振り込みを監視し、口座の取引履歴その他の情報に基づき、当該振り込みが異常なものであるか否かを推定する技術が提案されている（例えば、特許文献１参照）。この技術によれば、振り込みが異常なものと推定された場合、ＡＴＭにおける金銭の振り込みを中止することで、詐欺に起因すると推定される金銭の振り込みを防止できる。
【先行技術文献】
【特許文献】
【０００４】
【特許文献１】特開２００７−２２６６８２号公報
【発明の概要】
【発明が解決しようとする課題】
【０００５】
しかしながら、振り込み詐欺の手口はますます巧妙になっている。また、顧客が他人の口座へ振り込む事情も変化するものである。例えば、顧客に孫ができ、この孫が新たに口座を持てば、顧客はこの孫の口座にお年玉等として金銭を振り込みたい場合もある。このような顧客の新たな事情を知った第三者が、このような事情を悪用し、孫の口座と偽り別の口座への振り込みを要求することも考えられる。このとき、特許文献に示された異常取引監視サーバが、取引履歴にない新たな口座への振り込みを異常なものと推定したとしても、顧客自身が、孫の口座へは初めて振り込むから異常なものと推定されたと思い、この偽りの口座に疑いを持たず、孫の口座と信じて、そのまま振り込みをしてしまうおそれがある。即ち、顧客自身でなく、第三者である異常取引監視サーバが、過去の情報である顧客の取引履歴等の情報に基づき、振り込みが異常なものであるか否かを推定していては、振り込み詐欺の新たな手口を見逃すおそれがある。
【０００６】
本発明は、上記のような課題に鑑み、なされたものであり、顧客自身に振り込み先を再確認させることで、振り込み詐欺を防止できる銀行システム及び銀行システムの振り込み詐欺防止方法を提供することを目的とする。
【課題を解決するための手段】
【０００７】
上記のような課題を解決するため、本発明の銀行システム及び銀行システムの振り込み詐欺防止方法は、以下のような特徴を備える。
【０００８】
本発明の銀行システムは、顧客の振込に関する振込要求を受け付ける端末と、前記端末とネットワークを介して接続されたサーバと、を備え、前記端末は、前記顧客を特定する顧客情報を受け付ける顧客情報受付手段と、振込先に関する情報である振込先情報を受け付ける振込先情報受付手段と、前記顧客の操作に基づき、前記顧客と前記振込先との関係を示す振込先関係情報を受け付ける振込先関係情報受付手段と、前記顧客情報、前記振込先情報及び前記振込先関係情報を、前記サーバに送信する端末送信手段と、を有し、前記サーバは、前記顧客情報に、前記振込先情報と前記振込先関係情報とを対応付けて記憶する振込先記憶手段と、前記端末から受信した前記顧客情報、前記振込先情報及び前記振込先関係情報と、前記振込先記憶手段に記憶された前記顧客情報、前記振込先情報及び前記振込先関係情報と、を対比し、互いに一致するか否かを判定する判定手段と、前記判定手段の判定結果を前記端末に送信するサーバ送信手段と、を有し、前記端末は、さらに、前記サーバから受信した前記判定結果を通知する通知手段を有することを特徴とする。
【０００９】
上記構成によれば、顧客の振込に関する振込要求を受け付ける端末と、この端末とネットワークを介して接続されたサーバと、を備える銀行システムにおいて、端末は、顧客情報受付手段が顧客を特定する顧客情報を受け付け、振込先情報受付手段が振込先に関する情報である振込先情報を受け、振込先関係情報受付手段が、顧客の操作に基づき、顧客と振込先との関係を示す振込先関係情報を受け付け、端末送信手段が顧客情報、振込先情報及び振込先関係情報を、サーバに送信する。また、サーバは、振込先記憶手段が顧客情報に、振込先情報と振込先関係情報とを対応付けて記憶し、判定手段が端末から受信した顧客情報、振込先情報及び振込先関係情報と、振込先記憶手段に記憶された顧客情報、振込先情報及び振込先関係情報と、を対比し、互いに一致するか否かを判定し、サーバ送信手段が判定手段の判定結果を端末に送信する。そして、端末は、さらに、通知手段がサーバから受信した判定結果を通知する。
【００１０】
ここで、「端末」には、銀行や店舗内や街中に設置されたＡＴＭの他、ネットワークに接続可能な一般的な携帯端末やパーソナルコンピュータが含まれる。「顧客情報」には、顧客の名前、顧客の口座の口座番号や当該口座の名義名を示す情報が含まれる。また、「振込先情報」には、振込先の口座の口座番号や当該口座の名義人を示す情報が含まれる。また、「振込先関係情報」とは、例えば、振込先の口座が顧客の孫の口座であれば「ご親族」を示す情報であり、振込先の口座が顧客の使用している電力会社の口座であれば「利用中の電力会社」を示す情報である。
【００１１】
このようにすることで、顧客の操作に基づき受け付けた、振込先情報や振込先関係情報が、予め振込先記憶手段に記憶された振込先情報や振込先関係情報と一致するか否かを判定し、この判定結果を通知することができる。即ち、顧客は、他人の口座に金銭を振り込む場合、振込先の口座の口座番号や当該口座の名義名に加え、顧客自身と振込先との関係を入力する必要がある。さらに、この入力した振込先や振込先との関係がサーバに記憶されたものと一致するか否かが通知される。これにより、顧客は、例えば、他人から親族の口座であると指示された口座番号を入力し、さらに、自らの操作により、この入力した口座が親族の口座であることを再確認することとなる。そしてさらに、この自らが入力した振込先や振込先との関係がサーバに記憶された振込先や振込先との関係と一致しているか否かが通知されるので、仮に、一致しないのであれば、振込先である親族に確認することもできる。したがって、顧客自身に振り込み先を再確認させることで、振り込み詐欺を防止できる。
【００１２】
また、上記銀行システムの発明は、さらに以下の特徴を備えることができる。
前記端末は、さらに、前記通知手段が前記判定結果を通知した後、前記顧客の操作により、振込の実行を要求する最終要求又は振込の実行を中止する中止要求を受け付ける最終要求受付手段と、前記最終要求受付手段が前記最終要求を受け付けた場合には振込を実行し、前記最終要求受付手段が前記中止要求を受け付けた場合には振込の実行を中止する実行手段と、を有することを特徴とする。
【００１３】
上記構成によれば、顧客は、振込先関係情報が、予め振込先記憶手段に記憶された振込先関係情報と一致するか否かの判定結果の通知を確認した後に、振込を実行することも、振込の実行を中止することもできる。したがって、顧客自身に振り込み先を再確認させ、振込の実行又は実行の中止をすることを可能とすることで、振り込み詐欺を防止できる。
【００１４】
また、上記銀行システムの発明は、以下の特徴を備えることができる。前記振込先情報は、第１振込先情報と第２振込先情報とを含み、前記端末において、振込先情報受付手段は、前記第１振込先情報を受け付け、前記サーバは、さらに、振込先記憶手段を参照して、前記端末から受信した前記顧客情報及び前記第１振込先情報に基づき、前記第２振込先情報を抽出する抽出手段を有し、前記サーバ送信手段は、前記第２振込先情報を前記端末に送信し、前記端末において、前記振込先情報受付手段は、前記第２振込先情報を通知するとともに、当該第２振込先情報の変更を受け付けることを特徴とする。
【００１５】
これにより、第１振込先情報（例えば、振込先の口座の名義人の写真）を受け付けると、第２振込先情報（例えば、振込先の口座の口座番号）を通知できるとともに、当該第２振込先情報の変更を受け付けることができる。即ち、顧客は、顧客自身と振込先との関係を入力するとともに、第２振込先情報によっても振込先を確認し、例えば、この振込先が所望の振込先と異なれば、変更できる。そして、この変更した振込先がサーバに予め記憶されたものと一致するか否かの判定結果が通知される。したがって、顧客自身に振り込み先を複数回に亘って再確認させることで、振り込み詐欺を防止できる。
【００１６】
また、上記銀行システムの発明は、さらに以下の特徴を備えることができる。前記第１振込先情報は、振込先の口座番号を示す情報であり、前記第２振込先情報は、振込先を特定する画像又は音声の情報であることを特徴とする。
【００１７】
これにより、顧客は、顧客自身と振込先との関係を入力するとともに、振込先を特定する画像又は音声によっても振込先を確認できる。したがって、顧客自身に振り込み先を複数回に亘って再確認させることで、振り込み詐欺を防止できる。
【００１８】
また、上記銀行システムの発明は、さらに以下の特徴を備えることができる。前記サーバは、さらに、前記端末から受信した前記顧客情報に基づき、前記振込先記憶手段を参照し、前記顧客情報に対応付けられた前記第１振込先情報からなる第１振込先情報リストを生成する振込先情報リスト生成手段を有し、前記サーバ送信手段は、前記第１振込先情報リストを前記端末に送信し、前記端末において、前記振込先情報受付手段は、前記サーバから送信された前記第１振込先情報リストの中から、前記第１振込先情報を受け付け、前記第１振込先情報は、振込先を特定する画像又は音声の情報であり、前記第２振込先情報は、振込先の口座番号を示す情報であることを特徴とする請求項３に記載の銀行システム。
【００１９】
これにより、顧客は、振込先を特定する画像又は音声の情報により、振込先を特定し、顧客自身と振込先との関係を入力するとともに、振込先の口座番号によっても振込先を確認できる。顧客は、親族の画像を選択し、通知された振込先の口座番号を確認し、例えば、この口座番号が他人から親族の口座であると指示された口座番号と異なれば、親族に確認することもできる。したがって、顧客自身に振り込み先を複数回に亘って再確認させることで、振り込み詐欺を防止できる。
【００２０】
また、本発明は、以下のように、振り込み詐欺防止方法と捉えることも可能である。顧客の振込に関する振込要求を受け付ける端末と、前記端末とネットワークを介して接続されたサーバと、を備える銀行システムが実行する振り込み詐欺防止方法において、前記端末が実行する方法は、前記顧客を特定する顧客情報を受け付ける顧客情報受付段階と、振込先に関する情報である振込先情報を受け付ける振込先情報受付段階と、前記顧客の操作に基づき、前記顧客と前記振込先との関係を示す振込先関係情報を受け付ける振込先関係情報受付段階と、前記顧客情報、前記振込先情報及び前記振込先関係情報を、前記サーバに送信する端末送信段階と、を含み、前記サーバは、前記顧客情報に、前記振込先情報と前記振込先関係情報とを対応付けて記憶する振込先記憶手段を備え、前記サーバが実行する方法は、前記端末から受信した前記顧客情報、前記振込先情報及び前記振込先関係情報と、前記振込先記憶手段に記憶された前記顧客情報、前記振込先情報及び前記振込先関係情報と、を対比し、互いに一致するか否かを判定する判定段階と、前記判定段階の判定結果を前記端末に送信するサーバ送信段階と、を含み、前記端末が実行する方法は、さらに、前記サーバから受信した前記判定結果を通知する通知段階を含むことを特徴とする振り込み詐欺防止方法。
【発明の効果】
【００２１】
本発明によれば、顧客自身に振り込み先を再確認させることで、振り込み詐欺を防止できる銀行システム及び銀行システムの振り込み詐欺防止方法を提供することができる。
【図面の簡単な説明】
【００２２】
【図１】本発明の実施形態に係る銀行システムの概要を示す図である。
【図２】本発明の実施形態に係る銀行システムの機能ブロックを示す図である。
【図３】振込先ＤＢを説明する図である。
【図４】本発明の実施形態に係る銀行システムにおける振り込み詐欺防止処理フローを示す図である。
【図５】表示入力部に表示された第１振込先情報を受け付ける画像の一例を示す図である。
【図６】表示入力部に表示された振込先関係情報を受け付ける画像の一例を示す図である。
【図７】表示入力部に表示された判定結果を通知する画像の一例を示す図である。
【発明を実施するための形態】
【００２３】
以下、添付図面を参照して、本発明を実施するための形態（以下、実施形態）について詳細に説明する。なお、実施形態の説明の全体を通して同じ構成には同じ番号（符号）を付している。
【００２４】
まず、本発明の実施形態に係る銀行システム１の概要について説明する。図１は、本発明の実施形態に係る銀行システム１の概要を示す図である。銀行システム１は、顧客の振込に関する振込要求を受け付ける端末としてのＡＴＭ１０と、ＡＴＭ１０とネットワークを介して接続されたサーバ２０と、を備える。「ＡＴＭ」とは、ＡＴＭ(Automated Teller Machine;現金自動預払機または自動取引装置)の呼称である。なお、本実施形態の説明では、「端末」を「ＡＴＭ」として説明するが、これに限らず、本発明の「端末」には、の一例としてネットワークに接続可能な一般的な携帯端末やパーソナルコンピュータが含まれる。すなわち、本実施形態は、顧客が端末の操作により、銀行のホームページ等で、自分の口座から他人の口座へ振り込むことができる、所謂インターネットバンキングにも適用することができる。
【００２５】
銀行システム１の概要は以下のとおりである。まず、ＡＴＭ１０は、ステップＳ１で、表示入力部１２（例えば、タッチパネル）に表示された操作画面１２ａにおける顧客の操作に基づき、顧客情報、振込先情報、振込先関係情報を受け付ける。ここで、本実施形態における「顧客情報」とは顧客を特定する情報であり、顧客の名前、顧客の口座の口座番号や当該口座の名義名を示す情報が含まれる。また、本実施形態における「振込先情報」とは、振込先に関する情報であり、振込先の口座の口座番号や当該口座の名義人を示す情報が含まれる。また、本実施形態において「振込先情報」には、「第１振込先情報」と「第２振込先情報」とが含まれる。例えば、本実施形態においては「第１振込先情報」を当該口座の名義人を示す情報（例えば、名義人が個人であれば、当該個人の画像情報や音声情報、また、名義人が企業であれば、当該企業のロゴマークの画像情報）とし、「第２振込先情報」を、振込先の口座の口座番号として説明するが、これに限らず、逆に、「第１振込先情報」を振込先の口座の口座番号とし、「第２振込先情報」を当該口座の名義人を示す情報としてもよい。
【００２６】
また、「振込先関係情報」とは、顧客と振込先との関係を示す情報であり、具体的には、例えば、振込先の口座が顧客の孫の口座であれば「ご親族」を示す情報であり、振込先の口座が顧客の使用している電力会社の口座であれば「ご利用中の電力会社」を示す情報である。
【００２７】
ＡＴＭ１０は、ステップＳ２において、顧客情報、振込先情報及び振込先関係情報をサーバ２０に送信する。サーバ２０は、ＡＴＭ１０から受信した顧客情報、振込先情報及び振込先関係情報と、予め記憶され顧客情報、振込先情報及び振込先関係情報と、を対比し、互いに一致するか否かを判定し、この判定結果をステップＳ３において、ＡＴＭ１０に送信する。そして、ＡＴＭ１０は、この判定結果を表示入力部１２において、例えば、判定結果画面１２ｂのように表示する制御を行う。
【００２８】
これにより、顧客は、例えば、他人から親族の口座であると指示された口座番号を入力し、さらに、自らの操作により、振込先関係情報として親族を入力することで、この入力した口座が親族の口座であることを再確認することができる。さらに、この自らが入力した振込先関係情報がサーバ２０に記憶された振込先関係情報と一致しているか否かが通知されるので、仮に、一致しないのであれば、振込先である親族に確認することもできる。したがって、顧客自身に振り込み先を再確認させることで、振り込み詐欺を防止できる。
【００２９】
次に、本発明の実施形態に係る銀行システム１の機能構成について説明する。図２は、本発明の実施形態に係る銀行システム１の機能ブロックを示す図である。
【００３０】
ＡＴＭ１０は、カード読込部１１と、表示入力部１２と、音声出力部１３と、入力部１４と、金銭入出金部１５と、制御部１００と、を備える。
【００３１】
カード読込部１１は、制御部１００の制御により、挿入された顧客情報が記憶されたキャッシュカードから、顧客情報を読み込む。表示入力部１２は、例えば、タッチパネルで構成され、制御部１００の制御により、振込先情報及び振込先関係情報を選択又は入力する顧客の操作を受け付けるとともに、振込先関係情報に対するサーバ２０の判定結果を表示する。音声出力部１３は、例えば、スピーカで構成され、制御部１００の制御により、音声情報に基づき音声を出力する。
入力部１４は、例えば、キーボードやマウスで構成され、顧客の操作による、口座番号や暗証番号の入力を受け付ける。金銭入出金部１５は、制御部１００の制御により、金銭が出し入れされる。
【００３２】
制御部１００は、顧客情報受付手段１０１と、振込先情報受付手段１０２と、振込先関係情報受付手段１０３と、端末送受信手段１０４と、通知手段１０５と、最終要求受付手段１０６と、実行手段１０７と、を備える。
【００３３】
顧客情報受付手段１０１は、カード読込部１１においてキャッシュカードから読み込んだ顧客情報を受け付ける。
【００３４】
振込先情報受付手段１０２は、顧客による表示入力部１２又は入力部１４の操作に基づき、振込先に関する情報である振込先情報を受け付ける。詳細には、振込先情報受付手段１０２は、サーバ２０から送信された第１振込先情報リストを表示入力部１２に表示する制御を行い、この第１振込先情報リストの中から、顧客による表示入力部１２の操作に基づき、第１振込先情報を受け付ける。ここで、本実施形態における「第１振込先情報リスト」は、顧客が金銭を振り込んだことがある振込先又は予めサーバ２０において記憶された振込先の振込先情報を配列したものである。なお、このような振込先情報が１つの場合、第１振込先情報リストには、当該１つの振込先情報のみ含まれる。具体的には、例えば、第１振込先情報が振込先口座の名義人の画像情報であれば、振込先情報受付手段１０２は、サーバ２０から第１振込先情報リストを取得し、表示入力部１２に第１振込先情報リストに含まれる第１振込先情報として振込先口座の名義人の画像情報を配列して表示する制御を行い、その中のいずれかを顧客が選択（例えば、タッチ操作）した場合には、当該選択された第１振込先情報を受け付ける。また、振込先情報受付手段１０２は、第１振込先情報が振込先の口座の口座番号であれば、顧客による入力部１４の操作に基づき、第１振込先情報を受け付ける。
【００３５】
また、振込先情報受付手段１０２は、振込先情報受付手段１０２は、サーバ２０から送信され第２振込先情報を表示入力部１２に表示する制御を行い、顧客の操作に基づき、この第２振込先情報が変更された場合には、変更された第２振込先情報を受け付ける。なお、振込先情報受付手段１０２は、第２振込先情報が音声情報であれば、音声出力部１３に出力する制御を行う。
【００３６】
振込先関係情報受付手段１０３は、予め記憶された顧客と振込先との関係を示す複数の振込先関係情報の中から、顧客の操作に基づき、１つの振込先関係情報を受け付ける。具体的には、振込先関係情報受付手段１０３は、予め記憶された複数の振込先関係情報を表示入力部１２に配列して表示し、その中のいずれかを顧客が選択（例えば、タッチ操作）した場合には、当該選択された振込先関係情報を受け付ける。なお、本実施形態において、表示入力部１２に表示する複数の振込先関係情報は、サーバ２０に記憶された情報と同一であれば、予めＡＴＭ１０が記憶している情報を表示してもよいし、サーバ２０から送信された情報を表示してもよい。
【００３７】
端末送受信手段１０４は、顧客情報受付手段１０１が受け付けた顧客情報と、振込先情報受付手段１０２が受け付けた第１振込先情報及び顧客に変更された第２振込先情報と、振込先関係情報受付手段１０３が受け付けた振込先関係情報と、をサーバ２０に送信する。
【００３８】
また、端末送受信手段１０４は、サーバ２０から第１振込先情報リスト、第２振込先情報及び振込先関係情報についての判定結果を受信する。判定結果とは、詳しくは後述するが、顧客の操作に基づき受け付けた顧客情報、振込先情報及び振込先関係情報とサーバ２０で予め記憶している顧客情報、振込先情報及び振込先関係情報とが一致するか否かの判定結果である。
【００３９】
通知手段１０５は、端末送受信手段１０４が受信した判定結果を通知する。具体的には、通知手段１０５は、判定結果を表示入力部１２に表示する制御を行う。また、通知手段１０５は、判定結果の通知とともに、振込の実行を要求する最終要求を受け付けるための振込ボタン又は振込の実行を中止する中止要求を受け付けるための中止ボタンを、表示入力部１２に表示する制御を行う。
【００４０】
最終要求受付手段１０６は、通知手段１０５が判定結果を通知した後、顧客の操作により、振込の実行を要求する最終要求又は振込の実行を中止する中止要求を受け付ける。具体的には、最終要求受付手段１０６は、表示入力部１２において、振込ボタンが顧客により選択（例えば、タッチ操作）された場合には最終要求を受け付け、中止ボタンが顧客により選択（例えば、タッチ操作）された場合には中止要求を受け付ける。
【００４１】
実行手段１０７は、最終要求受付手段１０６が最終要求を受け付けた場合には振込を実行し、最終要求受付手段１０６が中止要求を受け付けた場合には振込の実行を中止する。具体的には、実行手段１０７は、最終要求を受け付けた場合には、さらに、表示入力部１２において、顧客に振込する金額の入力を要求し、当該顧客の口座又は金銭入出金部１５に投入された金銭を振込先の口座に振り込む処理を実行する。一方、実行手段１０７は、中止要求を受け付けた場合には、表示入力部１２の表示を初期表示（例えば、ＡＴＭ１０で実行可能なメニュー表示）に戻す制御を行うとともに、顧客のキャッシュカードをカード読込部１１から排出する。
【００４２】
サーバ２０は、振込先情報リスト生成手段２１と、判定手段２２と、抽出手段２３と、サーバ送受信手段２４と、振込先ＤＢ２００と、を備える。
【００４３】
振込先情報リスト生成手段２１は、ＡＴＭ１０から受信した顧客情報に基づき、振込先ＤＢ２００を参照し、顧客情報に対応付けられた第１振込先情報からなる第１振込先情報リストを生成する。
【００４４】
図３は、振込先ＤＢ２００を説明する図である。振込先ＤＢ２００は、予め作成されたデータベースであり、顧客情報に、振込先情報と振込先関係情報とが対応付けられている。顧客情報には、口座番号と口座名義人の名義とが含まれる。振込先情報では、第１振込先情報に第２振込先情報が対応付けられている。第１振込先情報は、振込先の口座の名義人を示す画像情報であり、第２振込先情報は、振込先の口座の口座番号である。名義人を示す画像情報は、名義人が個人であれば当該個人を撮影した画像情報であり、名義人が企業や公共機関等の法人であれば、当該法人の名称を示すロゴマークの画像情報である。本実施形態において、振込先の口座の口座番号は、「銀行番号−支店番号−口座番号」で規定しているが、これに限らず、振込先の口座の口座番号を特定できるものであれば任意の態様とすることができる。
【００４５】
振込先関係情報は、顧客と振込先との関係を示す情報であり、例えば、本実施形態では、顧客の「孫」であれば、「ご親族」といった「孫」を含む属性を規定しているが、これに限らず、より具体的に、例えば、「孫」であれば「孫」と規定してもよい。このように、振込先関係情報を、顧客と振込先との関係を含む属性で規定することで、端末において顧客が選択する振込先関係情報の数を抑えることができるので、顧客の振込先関係情報を入力する操作を簡便にできる。
【００４６】
図２に戻って、判定手段２２は、ＡＴＭ１０から受信した顧客情報、第1振込先情報、第２振込先情報及び振込先関係情報と、振込先ＤＢ２００（図３参照）に記憶された顧客情報、第1振込先情報、第２振込先情報及び振込先関係情報と、を対比し、互いに一致するか否かを判定する。具体的には、判定手段２２は、図３の例によれば、ＡＴＭ１０から受信した顧客情報が「５４６ＸＸＸ」（口座番号）又は「ギンコウ  タロウ」（口座名義人）の場合、例えば、ＡＴＭ１０から受信した第１振込先情報が「孫の画像情報」であるか否か、第２振込先情報が「１００−２５−２５６ＸＸＸ」（口座番号）であるか否か、振込先関係情報が「ご親族」であるか否か、を判定する。すなわち、判定手段２２は、顧客情報、第１振込先情報、第２振込先情報及び振込先関係情報の全てにおいて、ＡＴＭ１０から受信した情報と振込先ＤＢ２００に記憶され情報とが一致した場合に、互いに一致すると判定し、１つでも情報が異なれば、互いに一致しないと判定する。
【００４７】
抽出手段２３は、振込先ＤＢ２００（図３参照）を参照して、ＡＴＭ１０から受信した顧客情報及び第１振込先情報に基づき、第２振込先情報を抽出する。具体的には、判定手段２２は、図３の例によれば、ＡＴＭ１０から受信した第１振込先情報が「孫の画像情報」である場合、この第１振込先情報に対応付けられた第２振込先情報として「１００−２５−２５６ＸＸＸ」（口座番号）を抽出する。
【００４８】
サーバ送受信手段２４は、ＡＴＭ１０から、顧客情報、第１振込先情報、変更された第２振込先情報及び振込先関係情報を受信する。また、サーバ送受信手段２４は、振込先情報リスト生成手段２１が生成した第１振込先情報リスト、抽出手段２３が抽出した第２振込先情報及び判定手段２２の判定結果、をＡＴＭ１０に送信する。
【００４９】
なお、図２に示した機能ブロックは、あくまでも一例であり、一つの機能部を分割したり、複数の機能部をまとめて一つの機能部として構成してもよい。ＡＴＭやサーバも一台とは限らず、複数台であってもよい。各機能部は、ＡＴＭ及びサーバに内蔵されたＣＰＵ(Central  Processing  Unit)が、ＲＯＭ(Read  Only  Memory)またはハードディスク等の記憶装置に格納されたコンピュータ・プログラムを読み出し、ＣＰＵにより実行されるコンピュータ・プログラムが、記憶装置に格納されたデータベース(ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わない。
【００５０】
次に、本発明の実施形態に係る銀行システム１における振り込み詐欺防止処理について説明する。図４は、本発明の実施形態に係る銀行システム１における振り込み詐欺防止処理フローを示す図である。
【００５１】
ステップＳ１において、ＡＴＭ１０の制御部１００の顧客情報受付手段１０１は、カード読込部１１でキャッシュカードから読み込んだ顧客情報を受け付ける。また、制御部１００の端末送受信手段１０４は、顧客情報受付手段１０１が受け付けた顧客情報を、サーバ２０に送信する。そして、ステップＳ２において、サーバ２０のサーバ送受信手段２４は、当該顧客情報を受信する。
【００５２】
ステップＳ３において、サーバ２０の振込先情報リスト生成手段２１は、ステップＳ２でＡＴＭ１０から受信した顧客情報に基づき、振込先ＤＢ２００（図３参照）を参照し、顧客情報に対応付けられた第１振込先情報からなる第１振込先情報リストを生成する。具体的には、振込先情報リスト生成手段２１は、図３の例によれば、ＡＴＭ１０から受信した顧客情報に、「５４６ＸＸＸ」（口座番号）又は「ギンコウ  タロウ」（口座名義人）が含まれていた場合、孫の画像情報、ＡＢ電力のロゴ画像情報、横浜市水道局のロゴ画像情報、ＸＹ保険のロゴ画像情報及びＷＯ！通販のロゴ画像情報からなる第１振込先情報リストを生成する。また、本ステップにおいて、サーバ２０のサーバ送受信手段２４は、振込先情報リスト生成手段２１が生成した第１振込先情報リストをＡＴＭ１０に送信する。
【００５３】
ステップＳ４において、ＡＴＭ１０の制御部１００の端末送受信手段１０４は、サーバ２０から第１振込先情報リストを受信する。また、本ステップにおいて、制御部１００の振込先情報受付手段１０２は、サーバ２０から送信され第１振込先情報リストを表示入力部１２に表示する制御を行う。
【００５４】
図５は、表示入力部１２に表示された第１振込先情報を受け付ける画像の一例を示す図である。図５に示すように、第１振込先情報を受け付ける画像は、振込先の口座番号の入力スペース及び第１振込先情報リスト（図５中のお振込先リスト）として、孫の画像情報（図５中左から１番目）、ＡＢ電力のロゴ画像情報（図５中左から２番目）、横浜市水道局のロゴ画像情報（図５中左から３番目）、ＸＹ保険のロゴ画像情報（図５中左から４番目）及びＷＯ！通販のロゴ画像情報（図５中左から５番目）に基づく画像を含む。
【００５５】
図４に戻って、ステップＳ５において、ＡＴＭ１０の制御部１００の振込先情報受付手段１０２は、表示入力部１２に表示した第１振込先情報リストの中から、顧客による表示入力部１２の操作に基づき、第１振込先情報を受け付ける。例えば、図５に示す例では、孫の画像情報（図５中左から１番目）が顧客の操作により選択され、振込先情報受付手段１０２は、孫の画像情報を第１振込先情報として受け付ける。また、本ステップにおいて、制御部１００の端末送受信手段１０４は、振込先情報受付手段１０２が受け付けた第１振込先情報をサーバ２０に送信する。そして、ステップＳ６において、サーバ２０のサーバ送受信手段２４は、ＡＴＭ１０から、第１振込先情報を受信する。
【００５６】
ステップＳ７において、サーバ２０の抽出手段２３は、振込先ＤＢ２００（図３参照）を参照して、ステップＳ２で受信した顧客情報及びステップＳ６で受信した第１振込先情報に基づき、第２振込先情報を抽出する。具体的には、抽出手段２３は、上記の例によれば、顧客情報に、「５４６ＸＸＸ」（口座番号）又は「ギンコウ  タロウ」（口座名義人）が含まれており、第１振込先情報が「孫の画像情報」であるので、第２振込先情報として「１００−２５−２５６ＸＸＸ」（口座番号）を抽出する。また、本ステップにおいて、サーバ２０のサーバ送受信手段２４は、抽出手段２３が抽出した第２振込先情報をＡＴＭ１０に送信する。
【００５７】
ステップＳ８において、ＡＴＭ１０の制御部１００の端末送受信手段１０４は、サーバ２０から第２振込先情報を受信する。また、本ステップにおいて、制御部１００の振込先情報受付手段１０２は、サーバ２０から送信され第２振込先情報を表示入力部１２に表示する制御を行う。具体的には、振込先情報受付手段１０２は、上記の例によれば、図５に示すように、第２振込先情報として「１００−２５−２５６ＸＸＸ」（口座番号）を表示入力部１２に表示する制御を行う。
【００５８】
ステップＳ９において、ＡＴＭ１０の制御部１００の振込先情報受付手段１０２は、顧客の操作に基づき、変更された口座番号を第２振込先情報として受け付ける。具体的には、顧客は、第２振込先情報として表示入力部１２に表示された振込先の口座番号を確認し、例えば、振込先として教えられた口座番号と違う場合は、入力部１４を操作し、口座番号を変更することができる。この場合、振込先情報受付手段１０２は、変更された口座番号を第２振込先情報として受け付ける。また、本ステップにおいて、制御部１００の端末送受信手段１０４は、振込先情報受付手段１０２が受け付けた変更された第２振込先情報をサーバ２０に送信する。そして、ステップＳ１０において、サーバ２０のサーバ送受信手段２４は、ＡＴＭ１０から、変更された第２振込先情報を受信する。
【００５９】
ステップＳ１１において、ＡＴＭ１０の制御部１００の振込先関係情報受付手段１０３は、予め記憶された複数の振込先関係情報を表示入力部１２に配列して表示する制御を行い、その中のいずれかを顧客が選択（例えば、タッチ操作）した場合には、当該選択された振込先関係情報を受け付ける。また、本ステップにおいて、制御部１００の端末送受信手段１０４は、振込先関係情報受付手段１０３が受け付けた振込先関係情報をサーバ２０に送信する。そして、ステップＳ１２において、サーバ２０のサーバ送受信手段２４は、ＡＴＭ１０から、振込先関係情報を受信する。
【００６０】
図６は、表示入力部１２に表示された振込先関係情報を受け付ける画像の一例を示す図である。図６に示すように、振込先関係情報を受け付ける画像は、振込先関係情報（図６中の「お客様とお振込先様との関係」）として、振込先ＤＢ２００（図３参照）に記憶された複数の振込先関係情報と同じ、「ご親族」との文字画像情報（図６中上から１番目）、「ご利用中の電力会社」との文字画像情報（図６中上から２番目）、「ご利用中の水道局」との文字画像情報（図６中上から３番目）、「ご加入している保険会社」との文字画像情報（図６中上から４番目）及び「商品を購入した通信販売会社」との文字画像情報（図６中上から５番目）、に基づく画像を含む。また、図６に示す例では、「ご親族」との文字画像情報（図６中上から１番目）が顧客の操作により選択され、振込先関係情報受付手段１０３は、「ご親族」を第１振込先情報として受け付ける。また、図６に示す例では、第２振込先情報（「お振込先口座番号」）が、図５に示す第２振込先情報（「お振込先口座番号」）から変更されている。
【００６１】
図４に戻って、ステップＳ１３において、サーバ２０の判定手段２２は、ＡＴＭ１０から受信した顧客情報、第1振込先情報、第２振込先情報及び振込先関係情報と、振込先ＤＢ２００（図３参照）に記憶された顧客情報、第1振込先情報、第２振込先情報及び振込先関係情報と、を対比し、互いに一致するか否かを判定する。具体的には、上記の例によれば、振込先ＤＢ２００において、顧客情報「５４６ＸＸＸ」（口座番号）又は「ギンコウ  タロウ」（口座名義人）に、第１振込先情報「孫の画像情報」、第２振込先情報「１００−２５−２５６ＸＸＸ」（口座番号）及び振込先関係情報「ご親族」が対応付けられている。一方、図６に示すように、ＡＴＭ１０から受信した第２振込先情報（「お振込先口座番号」）が「８８−０２−３１８ＸＸＸ」に変更されている。この場合、判定手段２２は、第２振込先情報が、ＡＴＭ１０から受信した情報と振込先ＤＢ２００に記憶された情報とで異なるので、互いに一致しないと判定する。
【００６２】
ステップＳ１４において、サーバ２０のサーバ送受信手段２４は、判定手段２２の判定結果をＡＴＭ１０に送信する。
【００６３】
ステップＳ１５において、ＡＴＭ１０の制御部１００の端末送受信手段１０４は、サーバ２０から振込先関係情報についての判定結果を受信する。また、本ステップにおいて、制御部１００の通知手段１０５は、端末送受信手段１０４が受信した判定結果を表示入力部１２に表示する制御を行う。また、通知手段１０５は、判定結果の通知とともに、振込の実行を要求する最終要求を受け付けるための振込ボタン又は振込の実行を中止する中止要求を受け付けるための中止ボタンを、表示入力部１２に表示する制御を行う。
【００６４】
図７は、表示入力部１２に表示された判定結果を通知する画像の一例を示す図である。図７に示すように、判定結果を通知する画像は、例えば、上記の例のように、サーバ２０の判定手段２２の判定結果が、互いに一致しないとの判定の場合、顧客が入力した振込先の口座番号が、顧客が入力した関係にある者の口座ではない旨の警告を含む。また、判定結果を通知する画像は、顧客が操作（例えば、タッチして選択する操作）可能な振込ボタン及び中止ボタンを含む。
【００６５】
図４に戻って、ステップＳ１６において、ＡＴＭ１０の制御部１００の最終要求受付手段１０６は、表示入力部１２において、振込ボタンが顧客により選択された場合には最終要求を受け付けステップＳ１７に処理を移し、中止ボタンが顧客により選択された場合には中止要求を受け付けステップＳ１８に処理を移す。
【００６６】
ステップＳ１７において、ＡＴＭ１０の制御部１００の実行手段１０７は、振込を実行する。また、ステップＳ１８において、ＡＴＭ１０の制御部１００の実行手段１０７は、振込の実行を中止する。
【００６７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６８】
１      銀行システム  
１０    ＡＴＭ  
１１    カード読込部  
１２    表示入力部  
１３    音声出力部  
１４    入力部  
１５    金銭入出金部  
１００  制御部  
１０１  顧客情報受付手段  
１０２  振込先情報受付手段  
１０３  振込先関係情報受付手段  
１０４  端末送受信手段  
１０５  通知手段  
１０６  最終要求受付手段  
１０７  実行手段  
２０    サーバ  
２１    振込先情報リスト生成手段  
２２    判定手段  
２３    抽出手段  
２４    サーバ送受信手段  
２００  振込先ＤＢ    
【図１】
0005819231.tif 000002
【図２】
0005819231.tif 000003
【図３】
0005819231.tif 000004
【図４】
0005819231.tif 000005
【図５】
0005819231.tif 000006
【図６】
0005819231.tif 000007
【図７】
0005819231.tif 000008